(57)【要約】      （修正有）【課題】収集装置側の請求業務における煩雑さを緩和すると共に，通信コストの低減を計るファクシミリシステムを提供する。【解決手段】端末局とセンター局との交信時に，自己のカウント情報をファクシミリ情報と一緒に前記センター局に伝達すると共に，前記センター局は，各端末局との通信で得たカウント情報を受信し蓄積する。このカウント情報は，所定周期ごとに収集装置に一挙に伝達される。これによって，カウント情報の収集が一挙に行われ処理能率が向上すると共に，通信費用が節減される。【選択図】図２
2012015783.tif 000002
【特許請求の範囲】
【請求項１】
他局との送受信のカウント情報を記憶するカウンタを備えた複数の端末ファクシミリ装置と，該複数の端末ファクシミリ装置に接続されたセンターファクシミリ装置と，該センターファクシミリ装置及び前記端末ファクシミリ装置と接続可能であるデータ収集装置とを備えてなるファクシミリシステムであって，
前記端末ファクシミリ装置は，前記センターファクシミリ装置との交信時に，自己が保持するカウンタに記憶されたカウント情報をファクシミリ情報と一緒に前記センターファクシミリ装置に伝達する第１のカウント情報伝達手段を備え，
前記センターファクシミリ装置は，各端末ファクシミリ装置との通信時に各端末ファクシミリ装置のカウント情報伝達手段が伝達するカウント情報を受信し蓄積するカウント情報蓄積手段と，
前記データ収集装置からの要求に応じて前記カウント情報蓄積手段に蓄積された前記端末ファクシミリ装置のカウント情報をデータ収集装置に伝達する第２のカウント情報伝達手段とを備え，
前記データ収集装置は，前記センターファクシミリ装置との交信によって前記センターファクシミリ装置の第２のカウント情報伝達手段により伝達された各端末ファクシミリ装置のカウント情報を前記センターファクシミリ装置から受信するカウント情報受信手段を備えてなるファクシミリシステム。
【請求項２】
前記カウント情報が，少なくとも，ファクシミリ送信した相手先電話番号，送信日時，送信時間を含むデータである請求項１に記載のファクシミリシステム。
【請求項３】
データ収集装置が，収集したカウント情報について所定期間内に送信されたカウント情報か否かを検査するデータ検査手段を備えてなる請求項１あるいは２のいずれかに記載のファクシミリシステム。
【請求項４】
検査の結果，収集したカウント情報が前記所定期間内に送信されたカウント情報以外の情報を含む場合に，データ収集装置が上記カウント情報を記憶していた端末ファクシミリ装置に直接通信して，該端末ファクシミリ装置のカウント情報を収集する直接収集手段をデータ収集装置が備えたものである請求項１〜３の何れかに記載のファクシミリシステム。
【請求項５】
他局との送受信のカウント情報を記憶するカウンタを備えた複数の端末ファクシミリ装置及び前記端末ファクシミリ装置と接続可能であるデータ収集装置と接続されてなるセンターファクシミリ装置であって，
当該センターファクシミリ装置は，該センターファクシミリ装置との交信時に，自己が保持するカウンタに記憶されたカウント情報をファクシミリ情報と一緒に該センターファクシミリ装置に伝達する第１のカウント情報伝達手段を備えてなる各端末ファクシミリ装置との通信時に、各端末ファクシミリ装置のカウント情報伝達手段が伝達するカウント情報を受信し蓄積するカウント情報蓄積手段と，
前記データ収集装置からの要求に応じて前記カウント情報蓄積手段に蓄積された前記端末ファクシミリ装置のカウント情報をデータ収集装置に伝達する第２のカウント情報伝達手段とを備えてなるセンターファクシミリ装置。
【発明の詳細な説明】
【技術分野】
【０００１】
本発明は，ファクシミリシステム及びセンターファクシミリ装置に係り，特に，利用者のファクシミリの使用状況を示すカウント情報の収集を能率よく行いうるようにしたファクシミリシステムなどに関するものである。
【背景技術】
【０００２】
上記のようなファクシミリカウント情報は，ファクシミリ使用料の集計に必要であるので，例えば，月決めで一箇所で集計し清算する方法が一般的に行われている。
このような集計は，通常，集計用の計算機が各クライアントのファクシミリとの通信を行ってカウンタの値を検出するようになっている。
上記のようなカウント値の収集装置として，例えば特許文献１が知られている。
上記特許文献１に記載の公知のファクシミリは，画像形成装置と，該画像形成装置に対応して設けられて利用者情報（ＩＤコード）を用いて前記画像形成装置の前記ＩＤコードに対応する利用者の使用状況の記憶・管理を行う管理装置と，該管理装置とＬＡＮや公衆回線などのネットワークで接続されて前記管理装置に記憶されている情報を収集する集計装置とからなり，前記管理装置に入力された前記ＩＤコードを前記画像形成装置において形成する画像に入れ込むことを特徴とする画像形成装置利用者別使用状況管理システムとして構成されている。
【先行技術文献】
【特許文献】
【０００３】
【特許文献１】特開２００１-３０１２８８号公報
【発明の概要】
【発明が解決しようとする課題】
【０００４】
上記のような画像形成装置利用者別使用状況管理システムは，ＩＤなどの個別データを用いることでセキュリティを向上させる点で優れたシステムであるが，集計装置は，全ての画像形成装置と通信を行わなければ集計を行うことが出来ず，煩雑という点で問題がある。
特に，例えば企業内においては，本社などには，多くの支社からのファクシミリ通信を受信するセンターマシンとしてのファクシミリがあるのが一般的であり，一方，支社には，本社との間で頻繁に通信を行う端末側ファクシミリが設けられている場合が多い。
この場合，ファクシミリの管理会社（収集装置）は，本社のファクシミリとの通信で本社のファクシミリの使用状況を確認するのみでなく，全ての支社の端末側ファクシミリにも通信を行って，使用状況をいちいち確認する必要があり，極めて煩雑であった。また，そのような使用状況の確認のためにもいちいち通信費を必要とするので，通信コストの面でも不経済であった。
従って，本発明は，上記した従来の収集装置側の請求業務における間雑さを緩和すると共に，通信コストの低減を計ることの出来るファクシミリシステム及びこれに用いられるセンターファクシミリ装置の提供を目的とする。
【課題を解決するための手段】
【０００５】
上記目的を達成するために本発明は，
他局との送受信のカウント情報を記憶するカウンタを備えた複数の端末ファクシミリ装置と，該複数の端末ファクシミリ装置に接続されたセンターファクシミリ装置と，該センターファクシミリ装置及び前記端末ファクシミリ装置と接続可能であるデータ収集装置とを備えてなるファクシミリシステムであって，
前記端末ファクシミリ装置は，前記センターファクシミリ装置との交信時に，自己が保持するカウンタに記憶されたカウント情報をファクシミリ情報と一緒に前記センターファクシミリ装置に伝達する第１のカウント情報伝達手段を備え，
前記センターファクシミリ装置は，各端末ファクシミリ装置との通信時に各端末ファクシミリ装置のカウント情報伝達手段が伝達するカウント情報を受信し蓄積するカウント情報蓄積手段と，
前記データ収集装置からの要求に応じて前記カウント情報蓄積手段に蓄積された前記端末ファクシミリ装置のカウント情報をデータ収集装置に伝達する第２のカウント情報伝達手段とを備え，
前記データ収集装置は，前記センターファクシミリ装置との交信によって前記センターファクシミリ装置の第２のカウント情報伝達手段により伝達された各端末ファクシミリ装置のカウント情報を前記センターファクシミリ装置から受信するカウント情報受信手段を備えてなるファクシミリシステムとして構成される。
上記のように，例えば月１回などの周期で，端末ファクシミリ装置は，データ収集装置からの要求に応じてカウント情報蓄積手段に蓄積された前記端末ファクシミリ装置のカウント情報をデータ収集装置に伝達すると共に，データ収集装置は，センターファクシミリ装置との交信によって前記センターファクシミリ装置の第２のカウント情報伝達手段により伝達された各端末ファクシミリ装置のカウント情報を前記センターファクシミリ装置から受信するので，データ収集装置は，多くの端末ファクシミリ装置といちいち交信する必要が無く，センターファクシミリ装置との一度の交信でセンターファクシミリ装置と交信するほぼ全ての端末ファクシミリ装置のカウント情報を収集することが出来，収集作業の煩雑性から開放されると共に，通信費の削減が可能となる。
またその際，カウント情報の収集とは関係なく行われる端末ファクシミリ装置とセンターファクシミリ装置との間のファクシミリ交信を利用して端末ファクシミリ装置のカウント情報がセンターファクシミリ装置に伝達されるので，この面でも通信費の著しい削減が可能となる。
なお，前記カウント情報は，少なくとも，ファクシミリ送信した相手先電話番号，送信日時，送信時間を含むデータである。これらの情報から，ファクシミリの使用料そのほかの請求情報が取得される。
また，データ収集装置が，収集したカウント情報について所定期間内に送信されたカウント情報か否かを検査するデータ検査手段を備えてなる場合には，カウント情報の通信ミスなどによる誤りを検知することも出来る。
さらに，上記検査の結果，収集したカウント情報が前記所定期間内に送信されたカウント情報以外の情報を含む場合に，データ収集装置が上記カウント情報を記憶していた端末ファクシミリ装置に直接通信して，該端末ファクシミリ装置のカウント情報を収集するように構成することも可能である。これで，ミスのないカウント情報収集が達成される。
上記したファクシミリシステムに用いられるセンターファクシミリ装置としては，他局との送受信のカウント情報を記憶するカウンタを備えた複数の端末ファクシミリ装置及び前記端末ファクシミリ装置と接続可能であるデータ収集装置と接続されてなるセンターファクシミリ装置であって，
当該センターファクシミリ装置は，該センターファクシミリ装置との交信時に，自己が保持するカウンタに記憶されたカウント情報をファクシミリ情報と一緒に該センターファクシミリ装置に伝達する第１のカウント情報伝達手段を備えてなる各端末ファクシミリ装置との通信時に，各端末ファクシミリ装置のカウント情報伝達手段が伝達するカウント情報を受信し蓄積するカウント情報蓄積手段と，
前記データ収集装置からの要求に応じて前記カウント情報蓄積手段に蓄積された前記端末ファクシミリ装置のカウント情報をデータ収集装置に伝達する第２のカウント情報伝達手段とを備えてなるセンターファクシミリ装置が把握される。
【発明の効果】
【０００６】
本発明は，他局との送受信のカウント情報を記憶するカウンタを備えた複数の端末ファクシミリ装置と，該複数の端末ファクシミリ装置に接続されたセンターファクシミリ装置と，該センターファクシミリ装置及び前記端末ファクシミリ装置と接続可能であるデータ収集装置とを備えてなるファクシミリシステムであって，前記端末ファクシミリ装置は，前記センターファクシミリ装置との交信時に，自己が保持するカウンタに記憶されたカウント情報をファクシミリ通信情報と一緒に前記センターファクシミリ装置に伝達する第１のカウント情報伝達手段を備え，前記センターファクシミリ装置は，各端末ファクシミリ装置との通信時に各端末ファクシミリ装置のカウント情報伝達手段が伝達するカウント情報を受信し蓄積するカウント情報蓄積手段と，前記データ収集装置からの要求に応じて前記カウント情報蓄積手段に蓄積された前記端末ファクシミリ装置のカウント情報をデータ収集装置に伝達する第２のカウント数伝達手段とを備え，前記データ収集装置は，前記センターファクシミリ装置との交信によって前記センターファクシミリ装置の第２のカウント情報伝達手段により伝達された各端末ファクシミリ装置のカウント情報を前記センターファクシミリ装置から受信するカウント情報受信手段を備えてなるファクシミリシステムとして構成される。
従って，本発明においては，データ収集装置は，多くの端末ファクシミリ装置といちいち交信する必要が無く，センターファクシミリ装置との一度の交信でセンターファクシミリ装置と交信するほぼ全ての端末ファクシミリ装置のカウント情報を収集することが出来るので，ファクシミリ送信に関するカウント情報の収集が極めて簡素化できると共に，端末ファクシミリ装置からセンターファクシミリ装置への不可欠の通常の通信業務の中で，カウント情報がセンターファクシミリ装置に送られるので，通信費を押し上げることもない。
このファクシミリシステムに用いられるセンターファクシミリ装置においても，まったく同様の効果を奏することができる。
【図面の簡単な説明】
【０００７】
【図１】本発明の一実施形態にかかるファクシミリシステム全体の構成を示すブロック図。
【図２】本発明の一実施形態にかかるファクシミリシステムの制御手順を示すフローチャート。
【図３】本発明の一実施形態にかかるファクシミリシステムにおける送信手順と送信データのデータ構造を示す概念図。
【発明を実施するための形態】
【０００８】
続いて，図面を参照して本発明を具体化した実施形態について説明し，本発明の理解に供する。
ここに図１は，本発明の一実施形態に係るファクシミリシステムＦＳの全体を示すブロック図である。
図において，端末ファクシミリ装置の一例である端末局１は，例えば前記支店のファクシミリのように，複数のファクシミリＦ−１，Ｆ−２，…，ＦＮからなり，他局との送受信のカウント数を記憶すると共に，ファクシミリ送信の相手先に関する情報が記録された記憶部ＭＦと，制御部ＣＦを備えている。
また，上記複数の端末局Ｆ−１，Ｆ−２，…は，例えば，本社のファクシミリのようなセンターファクシミリ装置の一例であるセンター局ＣＴと電話回線，ＩＤＳＮ回線，インターネット回線など任意の回線で，通信制御部ＴＦを介して接続されている。収集装置Ｐとは，上記通信制御部ＴＦを介して必要に応じて接続される。
収集装置Ｐは，場合によってサービスマンが所持する携帯端末などによって構成される場合があるので，常にセンターファクシミリ装置に接続している必要はないからである。
【０００９】
前記センター局ＣＴは，前記端末局Ｆ−１，Ｆ−２，…，ＦＮへのファクシミリ送信のカウント数及びその他のファクシミリへの送信カウント数などを記憶すると共に，相手先である端末局Ｆ−１，Ｆ−２，…，ＦＮ，その他の通信先のＩＤなどが記録されたカウント情報記憶部ＭＣＴと，端末局Ｆ−１，Ｆ−２，…，ＦＮ及び収集装置Ｐと電話回線，ＩＤＳＮ回線，インターネット回線など任意の回線で接続するための通信制御部ＴＣＴとを備えており，これらの構成要素は，主制御部ＣＣＴと接続され，主制御部ＣＣＴによって制御される。
【００１０】
収集装置Ｐは，前記センター局ＣＴ及び前記端末局Ｆ−１，Ｆ−２，…と接続可能なコンピュータなどから構成されており，必要に応じて前記センター局ＣＴ及び前記端末局Ｆ−１，Ｆ−２，…と接続することができる。例えば，サービスマンが携帯する携帯用のコンピュータなどで構成されることが多いが，特に，有線，あるいは無線の通信ポートなどを備えている点が，特徴的である。
また，上記収集装置Ｐについても，相手先である端末局Ｆ−１，Ｆ−２，…，ＦＮあるいはセンター局ＣＴのＩＤなどが記録された記憶部ＭＰと，端末局Ｆ−１，Ｆ−２，…，ＦＮ及びセンター局ＣＴと電話回線，ＩＤＳＮ回線，インターネット回線など任意の回線で接続するための通信制御部ＴＰとを備えており，これらの構成要素は，主制御部ＣＰと接続され，主制御部ＣＰによって制御される。
【００１１】
この実施形態に係るファクシミリシステムＦＳの概要は以上の通りである。
一方，このファクシミリシステムが特徴とするところの１つは，前記端末局Ｆ−１，Ｆ−２，…が，前記センター局ＣＴとの交信時に，自己が保持する記憶部ＭＦに記憶された端末局（自局）の使用状況，即ちカウント値を含むカウント情報を，ファクシミリ情報と一緒に前記センター局ＣＴに伝達する機能を備えた点である。本発明では，上記自己が保持する記憶部ＭＦに記憶された端末局（自局）の使用状況，即ちカウント値を含むカウント情報を，ファクシミリ情報と一緒に前記センター局ＣＴに伝達する機能を達成するプログラムを実行する主制御部ＣＣＴが，本発明における第１のカウント情報伝達手段の一例である。
【００１２】
さらに，このファクシミリシステムＦＳが備える他の特徴は，前記センター局ＣＴが，各端末局Ｆとの通信時に各端末局Ｆから伝達されるカウント値などのカウント情報を受信し，蓄積するカウント情報記憶部ＭＣＴを備えた点である。上記カウント情報記憶部ＭＣＴが本発明におけるカウント情報蓄積手段の一例である。
なお，本発明におけるカウント情報とは，ファクシミリの送信使用料に関するカウント値と，相手先ＩＤなど，さらには送信時刻を少なくとも含む情報をいう。
【００１３】
前記したように通常のファクシミリシステムでは，端末局である各ファクシミリの使用料を集計するために，収集装置Ｐがすべての端末局Ｆと通信を行って各端末局Ｆの使用料を調査するが，この実施形態においては，収集装置は，センター局ＣＴとの通信を行って，センター局ＣＴが備えるカウンタ情報記憶部ＭＣＴの情報を取得することで，ほとんどすべての端末局Ｆの使用料（カウンタ数）を採取する。
即ち，前記センター局ＣＴは，収集装置Ｐからの要求に応じて前記カウンタ情報記憶部ＭＣＴに蓄積された前記端末局Ｆのカウント数を収集装置Ｐに伝達する機能を備えており（本発明における第２のカウント情報伝達手段の一例），前記収集装置Ｐは，前記センター局ＣＴとの交信によって前記センター局ＣＴから伝達された各端末局Ｆのカウント値を前記センター局ＣＴから受信する。収集装置Ｐが備えるこの機能を達成する制御部ＣＰが，本発明におけるカウント情報受信手段の一例である。
【００１４】
上記したように，この実施形態においては，収集装置Ｐは，センター局ＣＴとの通信を行って，センター局ＣＴが備えるカウンタ情報記憶部ＭＣＴの情報を取得することで，ほとんどすべての端末局Ｆの使用料（カウント値）を採取するが，実際のカウント値の収集に当って，収集の時期に応じて，採取されたカウント値が間違いであった可能性があり，そのような過誤によるカウント値がある場合には，その端末局Ｆと直接通信を行ってその端末局Ｆのカウント値を取得する場合がある。詳細は，後記する。
【００１５】
以下，センター局ＣＴが，企業の本社などに設置されたＦＡＸ受信を行うことの多いＭＦＰ装置（複写機，ファクシミリ装置，スキャナなどの機能を複合して備える画像形成装置）が，支社等に設置され，本社と通信を行なうことの多いＭＦＰ装置によって具現化される場合を例にとって，前記各制御部の処理手順について説明して，本発明の理解に供する。
【００１６】
以下の説明において，Ｓ１，Ｓ２，…は，制御部の処理手順（ステップ）を示す識別記号である。上記識別記号Ｓ１，Ｓ２，…を図１に記載の手順を示す矢印に添えておくことで，手順の理解が容易になるであろう。
この例では，各局は，電話回線経由の通信でデータを取得している。尚，本来は収集装置と，センター局ＣＴと端末局Ｆの間には交換機が入るが，図１では省略されている。
処理は，端末局Ｆからセンター局ＣＴにファクシミリ通信の必要性が生じたときに開始される。また，毎月末に収集装置Ｐがセンター局ＣＴに通信行ってカウンタ値の収集を行う。
Ｓ１の手順は，端末局Ｆの１つからセンター局ＣＴへのファクシミリ通信を行う手順である。
この際のファクシミリ送信時に，端末局Ｆの制御部ＣＦは，自機の記憶部ＣＦに記憶されたファクシミリ送信に関するカウント情報を，センター局ＣＴへのファクシミリ通信データに付加して送信する（Ｓ１）。この場合の自機の記憶部ＣＦに記憶されたファクシミリ送信に関する情報には，センター局ＣＴへの送信に関するカウント情報のみでなく，自機から他機へのすべての送信に関するデータが含まれる。また，この送信に関するデータには，送信に要した時間情報のほかに，相手先ＩＤ情報（例えば電話番号），及び送信時刻情報が含まれる。すなわち，送信に関する使用料金を決定するすべてのデータが含まれる。もちろん，それ以外のデータを含めて，管理の用に供することもできる。
【００１７】
図３（ａ）は，上記ファクシミリ通信の周知の手順を示すものである。上記手順中のＮＳＳ工程信号は，図３（ｂ）に示すようなファクシミリ情報を送る手順であり，かつ図３（ｂ）に示すようなデータ構造となっており，図３（ｂ）における〔００Ｈ〕〔００Ｈ〕〔００Ｈ〕〔０２Ｈ〕の部分は，ＩＴＵ−Ｔ  Ｔ．３０の勧告上，各メーカにおいて自由に設定できる領域であるので，この実施形態におけるカウント情報をこの部分にセットして送信記録することも可能である。
【００１８】
上記のようにして，カウント情報を送信し終わると，端末局Ｆは，記憶部ＭＦに記憶された送信したデータに送信済みのフラグを追加して，送信が完了したデータと完了していないデータとを区別する。
従って，端末局Ｆからセンター局ＣＴへ送信するのは，上記送信済みのフラグが設定されていない，未送信のデータのみである。
【００１９】
上記端末局Ｆからのファクシミリ送信を受けると，センター局ＣＴの主制御部ＣＣＴは，通信制御部ＴＣＴから得た相手先電話番号，送信日時，送信時間を含むカウント情報を，カウント情報記憶部ＭＣＴに記憶する（Ｓ２）。
上記のようにして，端末局Ｆからのファクシミリ送信を受ける都度，センター局ＣＴは，上記Ｓ１及びＳ２の処理を繰り返す。これにより，複数の端末局Ｆのいずれかからセンター局ＣＴへのファクシミリ送信が行われる都度，端末局Ｆが送信した全てのカウント情報がセンター局ＣＴに集められる。
【００２０】
Ｓ３は，収集装置Ｐによって，例えば月末などに定期的に行われる処理である。即ち，Ｓ３では，収集装置Ｐから，センター局ＣＴに対して，プロトコール上予め定められたカウンタ情報を要求する信号を送信する。このカウンタ情報要求信号を受信すると，センター局ＣＴの主制御部ＣＣＴは，前記Ｓ１，Ｓ２の繰り返しによって端末局Ｆとの通信によって取得した全ての（その月内にカウント情報の送受があった全ての）端末局Ｆのカウント情報をカウンタ情報記憶部ＭＣＴから取得し，自機のカウント情報と共に，通信部ＴＣＴを経由して収集装置Ｐに送信する（Ｓ４）。
【００２１】
センター局ＣＴから全てのカウント情報を取得した収集装置Ｐは，取得したカウント情報を検査する（Ｓ５）。即ち，取得したカウント情報の保存時刻が，一定の基準より古いものが含まれていないかどうかを，各端末局のカウント情報に含まれる通信日時から判断する。
【００２２】
ここで一定の基準，例えば，すでに清算が済んでいるはずの昨月の保存時刻などである場合には，明らかにデータに誤りがある場合と考えられるので，そのような場合には，再度端末局Ｆと個別に通信を行って，カウント情報を取得する（Ｓ６，Ｓ７）。このようにカウント情報を検査することで，通信エラーなどによって清算のミスを防止することができる。
上記のように多くの端末局Ｆのカウント値をセンター局ＣＴに集め，収集装置Ｐは，センター局ＣＴのみと通信することで，従来のような収集装置Ｐが全ての端末局Ｆとの通信を行うことでカウント値を収集する場合と比べて，収集装置Ｐの作業が著しく軽減され，且つ通信に要する経費を削減することができる。
特に，上記のように端末局Ｆからセンター局ＣＴへのファクシミリ通信の際に，ついでに端末局Ｆのカウント情報をセンター局ＣＴに伝達するように構成されているので，端末局Ｆからセンター局ＣＴにカウント情報を集める作業には，まったく費用がかからないので，著しく通信コストを削減することができる。
上記のような，検査の結果，収集したカウント情報が前記所定期間内に送信されたカウント情報以外の情報を含む場合に，収集装置Ｐが上記カウント情報を記憶していた端末局Ｆに直接通信して，該端末局Ｆのカウント情報を収集する機能を実行する主制御部ＣＰが，本発明の直接収集手段の一例である。
【００２３】
この収集処理を，端末局Ｆの数が多く，端末局Ｆからセンター局ＣＴへの送信が頻繁に行なわれる環境に適用した場合には，収集装置Ｐによるカウント情報の収集が１回で済むため，上記経費節減及び処理の煩雑さの解消の効果が著しいものとなる。
【産業上の利用可能性】
【００２４】
本発明にかかるファクシミリシステムは，企業内の本社，支社の関係にあるファクシミリシステムをはじめとして，ネットワーク，電話回線，などによって接続されたファクシミリシステムに適用可能である。
【符号の説明】
【００２５】
Ｆ（Ｆ１，Ｆ２，…）…端末局（端末ファクシミリ装置）
ＴＦ…通信部
ＭＦ…記憶部
ＣＴ…センター局（センターファクシミリ装置）
ＴＣＴ…通信部
ＭＣＴ…記憶部
Ｐ…収集装置（データ収集装置）
ＴＰ…通信部
【図１】
2012015783.tif 000003
【図２】
2012015783.tif 000004
【図３】
2012015783.tif 000005